(57)【要約】【課題】  扉の表面に把手部が存在せず、扉の表面を壁面の一部として構成しても外観上違和感がない。扉の表面に別体の把手部を取付けたり、扉の表面に掘り込み加工をする工程が省けて、扉の形成が容易に行える。【解決手段】  一端部側が開閉用の枢支側となった扉本体１の少なくとも上記枢支側の一端部と対向する他側端部側の側端面にエッジ部材２を設けた扉３である。該枢支側の一端部と対向する他側端部側の側端面に設けたエッジ部材２に把手部４を形成する。【選択図】        図１
2005180051.tif 000002
【特許請求の範囲】
【請求項１】
一端部側が開閉用の枢支側となった扉本体の少なくとも上記枢支側の一端部と対向する他側端部側の側端面にエッジ部材を設けた扉において、少なくとも扉本体のエッジ部材に近い側の端部の表面とエッジ部材の表面とを面一とすると共に、エッジ部材の側面に把手部を形成して成ることを特徴とする扉。
【請求項２】
エッジ部材の側面に設けた凹所により把手部を構成して成ることを特徴とする請求項１記載の扉。
【請求項３】
把手部を構成する凹所が扉の上下方向の全長にわたって形成してあることを特徴とする請求項２記載の扉。
【発明の詳細な説明】
【技術分野】
【０００１】
本発明は、扉、特に把手部を備えた扉に関するものである。
【背景技術】
【０００２】
従来から家具、ウォールキャビネットと称される収納壁、あるいは、クローゼット等の扉は一側端に開閉軸を設け、開閉軸を設ける一端部と対向する他側端部の扉の表面部に表面側から突出した摘み又はハンドルよりなる把手部を形成したり、あるいは扉の表面に掘り込み加工を施して凹んだ把手部を形成したもので、このようにして形成した扉の表面部の把手部に指を掛けて開閉軸を中心に扉を回動することで、扉の開閉を行っていた。
【０００３】
ところが、従来にあっては上記のように、扉の表面に上記のように凸形状又は凹形状の把手部を設けるので、扉の表面に把手部が凸又は凹状態で露出して扉の外観を損ね、特に、扉の表面を平坦なものにした場合に把手部により平坦性を損なう問題がある。また、図  に示すようなウォールキャビネットと称される収納壁１５等の扉３においては、外観上扉３自体が部屋の壁面の一部を構成するものであるが、扉３により壁面を構成する上で把手部４が外観上邪魔になって、壁面としての外観上の違和感が生じ、壁面としての連続性が損なわれ、商品価値が低下してしまうという問題がある。
【０００４】
また、従来にあっては、扉３の表面に把手部４を設けるため、扉３の表面に別体の把手部４を取付ける作業や扉３表面に掘り込み加工を必要とし、工数が非常にかかり、コストが高くなるという問題がある。
【０００５】
また、扉本体の側端部に把手部を有する縁材を取付けて扉を構成するものが特許文献１により知られている。この特許文献１に示された従来例にあっては、縁材の表面が扉本体の表面よりも前方に突出していて縁材と扉本体とが面一となっていないのみならず、更に縁材の表面から前方に把手部が突出しており、このように把手部が扉の前方に向けて突出しているので、把手部が大きく目立ち、扉本体の平坦性を損ねて、外観を悪くし、このような構成の扉は例えば、収納壁などの扉としては壁面としての外観上の違和感があるので、利用できないものである。
【特許文献１】特開平１１−１５９２５５号公報
【発明の開示】
【発明が解決しようとする課題】
【０００６】
本発明は上記の従来の問題点に鑑みて発明したものであって、扉の表面に把手部が存在しないことで、扉の表面を壁面の一部として構成しても外観上違和感がなく、また、扉の表面に別体の把手部を取付けたり、扉の表面に掘り込み加工をする工程が省けて、扉の形成が容易に行える扉を提供することを課題とするものである。
【課題を解決するための手段】
【０００７】
上記課題を解決するために本発明に係る扉は、一端部側が開閉用の枢支側となった扉本体１の少なくとも上記枢支側の一端部と対向する他側端部側の側端面にエッジ部材２を設けた扉３において、少なくとも扉本体１のエッジ部材２に近い側の端部の表面とエッジ部材２の表面とを面一とすると共に、エッジ部材２の側面に把手部３を形成して成ることを特徴とするものである。
【０００８】
このような構成とすることで、扉本体１とエッジ部材２とが面一に連続すると共に形成される扉３の表面に把手部４が存在しないことで、扉３の表面の平坦性を把手部４により損なわず、扉３の表面を壁面の一部として使用するような場合も外観上の違和感がなく、壁面としての連続性を損なわないようにできる。また、扉本体１の他側端部側の側端面にエッジ部材２を取付けて扉３を構成するだけで同時に扉３の側端面に把手部４を設けることができて、別体の把手部を取付ける作業が必要でなく、また、扉本体１の表面に掘り込み加工をして把手部を形成するという加工を必要としない。
【０００９】
また、エッジ部材２の側面に設けた凹所４ａにより把手部４を構成することが好ましい。
【００１０】
このような構成とすることで、エッジ部材２の側面の凹所４ａに指を掛けて簡単に扉３の開閉操作ができ、また、把手部４がエッジ部材２に設けた凹所４ａであるため、扉１の表面に把手部４が存在しないだけでなく、表面側から見て把手部４を構成する凹所４ａが見えないものであって、更に、外観を良くし、扉３を壁面の一部とするに当たって違和感がないようにできるものである。
【００１１】
また、把手部４を構成する凹所４ａが扉３の上下方向の全長にわたって形成してあることが好ましい。
【００１２】
このような構成とすることで、凹所４ａが表面側から見えないようにしたにもかかわらず、扉３の他端部側の側端面に存在するエッジ部材２に指を掛けることで、上下方向に長い凹所４ａの上下方向のいずれかの個所に必ず指を掛けることができ、簡単且つ確実に扉３の開閉操作ができるものであり、また、子供や大人といったように身長の異なる人であっても、凹所４ａの上下方向のいずれかの個所に指を掛けて簡単且つ確実に扉３の開閉操作ができるものである。
【発明の効果】
【００１３】
本発明は、上記のように扉本体の表面とエッジ部材の表面が面一に連続すると共に形成される扉の表面に把手部が存在しないことで、扉の表面を壁面の一部として構成しても外観上違和感がなくて商品価値を高めることができ、また、扉本体の枢支側と対向する他端部側の側端面にエッジ部材を取付けるだけで扉に把手部を設けることができ、扉の表面に別体の把手部を取付けたり、扉の表面に掘り込み加工をする工程が省けて、扉の形成が容易に行えるという利点がある。
【発明を実施するための最良の形態】
【００１４】
以下、本発明を添付図面に示す実施形態に基いて説明する。
【００１５】
本発明の扉３は扉本体１の側端面にエッジ部材２を取着して構成してある。扉本体１は左右方向の一端部側にヒンジのような枢支部材を取付けるための枢支部材取付け部７が設けてあり、この枢支部材取付け部７を設けた一端部側が開閉用の枢支側となっている。また、実施形態においては扉本体１は平板状をしていて表面が平坦面となっている。
【００１６】
エッジ部材２は該エッジ部材２の内面を扉本体１の端面（いわゆる木口面）に当接して接着剤のような取着手段により取付けられて、扉本体１の外周端面の化粧、保護をし、更に、エッジ部材２に丸みを持たせたものにおいては使用の際の安全性を高める機能を果たしている。
【００１７】
添付図面に示す実施形態においては、扉本体１の左右側端面、上下端面にそれぞれエッジ部材２を取着した例を示しているが、必ずしも扉本体１の全外周端面（木口面）にエッジ部材２を設けたものにのみ限定されず、扉本体１の少なくとも上記枢支側となる一端部と対向する他側端部側の木口面である側端面（つまり扉本体１の左右方向の他側端面）に設けてあればよい。
【００１８】
扉本体１の枢支側となる一端部と対向する他側端部側の側端面に取着されるエッジ部材２は取着前の形状が例えば図５に示すようなもので、該エッジ部材２の扉本体１の木口面である側端面に接着する面（内面）と反対側の面（つまり外面）にあらかじめ把手部４が形成してある。図示の実施形態では把手部４を凹所４ａにより構成してあり、凹所４ａは形成される扉３の上下方向の一部に形成されるようにエッジ部材２の外面の上下方向の一部に部分的に形成してもよいが、エッジ部材２の全長にわたるようにエッジ部材２の外面の上下方向の全長にわたって形成するのが好ましい。把手部４を構成する凹所４ａは表面に近い側が溝深さが深く、裏面方向に向かうほど次第に浅くなるように溝底が傾斜面４ｂとなった溝により構成してあり、扉３の側面に設けたエッジ部材２の側面に沿って前方から後方に向けて指先を入れた状態で指先を傾斜面４ｂに沿って少し手前に引くようにすることで、傾斜面４ｂをガイドとしてスムーズに指先を凹所４ａの手前の最も深い部分に引っ掛けることができることになる。これにより凹所４ａが前方から見えないにもかかわらず、簡単且つ正確に指先を引っ掛けることができる。
【００１９】
扉本体１の表面側を前、裏面側を後として扉本体１の側端部の前後幅をＬ１とした場合、扉本体１に取着する前のエッジ部材２の前後幅Ｌ２は、図５に示すように、Ｌ２＞Ｌ１という寸法関係となっており、扉本体１の端面にエッジ部材２を接着し、その後、エッジ部材２の扉本体１の表裏面から表面側及び裏面側に突出した部分を切削して扉本体１の側端部の表裏面とエッジ部材２の表裏面とを面一に連続させると共にエッジ部材２の表裏（前後）のコーナ部分の面取り加工をして面取り部６を形成し、このように丸みを持たせることで、形成される扉３の使用時における安全性を確保するようにしている。
【００２０】
ここで、上記のようにあらかじめエッジ部材２に把手部４を形成しておくことで、従来の扉３と同様にエッジ部材２を扉本体１の端面に取付けることで同時に把手部４を設けることができるものであって、従来のように、別体の把手部を取付ける作業が必要でなく、また、扉本体１の表面に掘り込み加工をして把手部を形成するという加工を必要としないものである。
【００２１】
上記のように扉本体１の端面にエッジ部材２を取着して構成した扉３は、例えば、各種家具、ウォールキャビネットと称される収納壁１５、あるいは、クローゼット等の扉として用いられるが、特に、ウォールキャビネットと称される収納壁１５、あるいは、クローゼット等の扉として用いると、扉３を室内の壁の一部として外観させることができる。ここで、扉３の一側端部の枢支部材取付け部５にはヒンジのような枢支部材（図示せず）が取付けられ、該枢支部材が更に家具の側板や仕切り板、あるいは開口枠などに取付けられ、枢支部材を介して開閉自在となるものである。
【００２２】
ここで、本発明においては、扉３の開閉の際に指を掛けて開閉操作をするための把手部４が扉３の表面に存在せず、扉３の枢支側の一端部と対向する他側端部側の側端面に設けたエッジ部材２に把手部４を形成してあるので、扉３の表面を平坦にした場合における平坦性を把手部４により損なわないものであって、外観を向上できるものである。また、ウォールキャビネットと称される収納壁、あるいは、クローゼット等の扉として用いて扉３の表面を壁面の一部として使用するような場合であっても壁面として外観上の違和感がなく、他の壁面との連続性を損なわないようにできるものである。
【００２３】
扉３の開閉操作を行うに当たっては、枢支側となる側端部と反対側に設けたエッジ部材２に沿って指先を奥に差し入れ、当該エッジ部材２に設けた凹所４ａに指を掛けて開閉操作するものである。ここで、把手部４を構成する凹所４ａが扉３の上下方向の全長にわたって形成してあると、凹所４ａが表面側から見えないようにしたにもかかわらず、扉３の他端部側の側端面に存在するエッジ部材２に指を掛けることで、上下方向に長い凹所４ａの上下方向のいずれかの個所に必ず指を掛けることができ、簡単且つ確実に扉３の開閉操作ができるものであり、また、子供や大人といったように身長の異なる人であっても、凹所４ａの上下方向のいずれかの個所に指を掛けて簡単且つ確実に扉３の開閉操作ができることになる。
【００２４】
ところで、両開き扉３として用いる場合、両開き扉３のうち一方の扉３においては、扉本体１の後面の把手部４を設ける側の側端部には目隠し部材９が取付けられる。目隠し部材９は合成樹脂により形成してあり、上下に細長い硬質の細幅板部１０の一端部から軟質の被覆用ひれ片１１が細幅板部１０の裏面に重なるように一体に連出してあり、更に、細幅板部１０の表面の左右方向の略中央部に位置決め突起１０ａが一体に突設して目隠し部材９が構成してある。該目隠し部材９は把手部４を設けたエッジ部材２を設けた側の扉３の側端部の裏面側に沿って配置され、細幅板部１０の表面の左右方向の片側半部を扉本体１とエッジ部材２の裏面に当接すると共に位置決め突起１０ａをエッジ部材２の外面の裏面側寄りの端部に当接して位置決めし、この状態で目隠し部材９をめくって固着具１２により扉本体１に固着し、目隠し部材９を元に戻して固着具１２の頭部を目隠しする。なお、ここで、両面粘着テープを併用して目隠し部材９を固着してもよい。この目隠し部材９は扉３の上下方向の全長にわたって取付けられる。
【００２５】
両開き扉３のうち他方の扉３には目隠し部材９は設けられない。両開き扉３を閉じた状態では、図４のように目隠し部材９を設けない方の扉３の把手部４を形成したエッジ部材２を取付けた側端部が、一方の扉３に設けた目隠し部材９のエッジ部材２の裏面側において扉本体１の表面と平行な外側方に突出した細幅板部１０の左右方向の他の片側半部の表面に当接し、両開き扉３の把手部４を形成したエッジ部材２間の隙間１３を目隠し部材９により裏面側において遮蔽するようになっている。
【００２６】
ここで、両開き扉３を閉じた状態で、両開き扉３の把手部４を形成したエッジ部材２間の隙間１３は人の指先を挿入出来る寸法となっており、その隙間幅Ｌ３は０．５〜１．５ｍｍの範囲内において設定するのが好ましい。隙間幅Ｌ３が０．５ｍｍに満たないと指先が入らず、隙間１３から指先を入れて把手部４に指を掛けて開閉操作ができない。また、１．５ｍｍを越えると隙間幅が大きくなりすぎて、外観が悪くなるので好ましくない。
【００２７】
なお、図３において符号１６は収納壁１５に設けた引出しを示している。
【図面の簡単な説明】
【００２８】
【図１】本発明の扉の水平断面図である。
【図２】同上の正面図である。
【図３】同上の扉を取付けた収納壁の一例を示す正面図である。
【図４】図３のＸ部分の拡大断面図である。
【図５】同上の扉本体と、該扉本体に取付ける前の把手部を形成したエッジ部材の分解断面図である。
【図６】従来例の収納壁を示す正面図である。
【符号の説明】
【００２９】
１  扉本体
２  エッジ部材
３  扉
４  把手部
５  凹所
【図１】
2005180051.tif 000003
【図２】
2005180051.tif 000004
【図３】
2005180051.tif 000005
【図４】
2005180051.tif 000006
【図５】
2005180051.tif 000007
【図６】
2005180051.tif 000008